(57)【要約】【課題】  名刺とともに、名刺の形態をもった物体として手渡すことができ、受け取った相手が名刺の整理を容易に行うことが可能なパンフレットを提供する。【解決手段】  会社案内などのパンフレットとしての記載事項が印刷された表示面を有する紙面から構成された本体部１０を折り畳むことにより名刺大の積層体を形成する。この本体部１０を構成する紙面に対して折り目を介して連接した紙片から構成され、この折り目を折ることにより、本体部１０の最上層１１の上に更に積層した状態となる挟持部２０を設け、最上層１１と挟持部２０との間に名刺４０を挿入すれば、全体として、名刺の形態をしたパンフレットが形成できる。挟持部２０は、本体部１０の一部分のみを覆う形態とし、名刺の一部が上方から視認できるようにする。【選択図】図１
0003121149.tif 000002
【実用新案登録請求の範囲】
【請求項１】
名刺を添付した状態で手渡すことが可能なパンフレットであって、
パンフレットとしての記載事項が印刷された表示面を有する紙面から構成され、折り畳むことにより前記名刺とほぼ同じサイズの積層体もしくは前記名刺とほぼ同じサイズの枠内に収まるサイズの積層体を形成することが可能な本体部と、
前記本体部を構成する紙面に対して折り目を介して連接した紙片から構成され、前記折り目を折ることにより、前記積層体の最上層の上に更に積層した状態となり、かつ、前記積層体の一部分のみを覆う状態となる挟持部と、
を備え、前記積層体の最上層と前記挟持部との間に前記名刺を挿入して、前記名刺を前記積層体に揃えたときに、前記挟持部によって前記名刺が保持され、かつ、前記名刺の一部が上方から視認できるように構成したことを特徴とする名刺添付機能をもったパンフレット。
【請求項２】
請求項１に記載のパンフレットにおいて、
平面上にＸＹ二次元直交座標系を定義したときに、
少なくとも一部がＹ軸上に位置する左辺と、少なくとも一部がＸ軸上に位置する下辺と、を有し、第１象限に配置された第１の領域と、
少なくとも一部がＹ軸上に位置する右辺と、少なくとも一部がＸ軸上に位置する下辺と、を有し、第２象限に配置された第２の領域と、
少なくとも一部がＹ軸上に位置する右辺と、少なくとも一部がＸ軸上に位置する上辺と、を有し、第３象限に配置された第３の領域と、
少なくとも一部がＹ軸上に位置する左辺と、少なくとも一部がＸ軸上に位置する上辺と、を有し、第４象限に配置された第４の領域と、
を備え、前記第１の領域と前記第２の領域とはＹ軸を折り目として折り畳むことができ、前記第２の領域と前記第３の領域とはＸ軸を折り目として折り畳むことができ、前記第３の領域と前記第４の領域とはＹ軸を折り目として折り畳むことができ、前記第４の領域と前記第１の領域とはＸ軸を折り目として折り畳むことができるように構成され、
前記第１〜第４の領域のいずれか１つの領域を挟持部用領域、残りの３つの領域を本体部用領域として、少なくとも前記挟持部用領域を用いて挟持部を構成し、少なくとも前記本体部用領域を用いて本体部を構成したことを特徴とする名刺添付機能をもったパンフレット。
【請求項３】
請求項１に記載のパンフレットにおいて、
本体部が、第１の長方形の下に第２の長方形が位置し、前記第２の長方形の右に第３の長方形が位置するように、それぞれが配置された少なくとも３つの長方形を含む紙面からなり、各長方形の境界線に沿った折り目を用いて折り畳むことにより、前記第１の長方形を最上層とする積層体が形成できるように構成され、
挟持部が、少なくとも、前記第１の長方形の右方に前記第１の長方形の右辺の少なくとも一部を折り目として連接し、かつ、前記第３の長方形の上方に前記第３の長方形の上辺の少なくとも一部を折り目として連接する紙片により構成されていることを特徴とする名刺添付機能をもったパンフレット。
【請求項４】
請求項１に記載のパンフレットにおいて、
本体部が、第１の長方形の下に第２の長方形が位置し、前記第２の長方形の右に第３の長方形が位置し、前記第２の長方形の左に第４の長方形が位置するように、それぞれが配置された少なくとも４つの長方形を含む紙面からなり、各長方形の境界線に沿った折り目を用いて折り畳むことにより、前記第１の長方形を最上層とする積層体が形成できるように構成され、
挟持部が、少なくとも、前記第１の長方形の右方に前記第１の長方形の右辺の少なくとも一部を折り目として連接し、かつ、前記第３の長方形の上方に前記第３の長方形の上辺の少なくとも一部を折り目として連接する第１の紙片と、前記第１の長方形の左方に前記第１の長方形の左辺の少なくとも一部を折り目として連接し、かつ、前記第４の長方形の上方に前記第４の長方形の上辺の少なくとも一部を折り目として連接する第２の紙片と、により構成されていることを特徴とする名刺添付機能をもったパンフレット。
【請求項５】
請求項１に記載のパンフレットにおいて、
挟持部に対して折り目を介して連接した紙片から構成される係止部を更に備え、
前記係止部を、積層体の最下層の下に折り込むか、もしくは、前記積層体の中間層に挿入することにより、前記挟持部を前記積層体の最上層の上に維持させることができるようにしたことを特徴とする名刺添付機能をもったパンフレット。
【請求項６】
請求項５に記載のパンフレットにおいて、
本体部が、互いに隣接して配置された複数の長方形を含む紙面からなり、この長方形の輪郭線に沿った折り目を用いて折り畳むことにより積層体が形成できるように構成され、
挟持部が、前記長方形のうちのいずれかの一辺を連接辺とした正方形の形状をした紙片を対角線で折り畳むことにより得られる直角二等辺三角形状の紙片から構成され、
係止部が、前記正方形の前記連接辺に対向する別な一辺を連接辺とした紙片から構成されていることを特徴とする名刺添付機能をもったパンフレット。
【請求項７】
請求項１に記載のパンフレットにおいて、
挟持部を、紙片を折り曲げることにより形成される２層以上の構造体によって構成し、
本体部に対して折り目を介して連接した紙片から構成される係止部を更に設け、
前記係止部を、前記挟持部の中間層に挿入することにより、前記挟持部を前記本体部の積層体の最上層の上に維持させることができるようにしたことを特徴とする名刺添付機能をもったパンフレット。
【請求項８】
請求項７に記載のパンフレットにおいて、
挟持部に対して折り目を介して連接した紙片から構成され、前記挟持部を広げるための摘みとして機能する摘み部を更に設けたことを特徴とする名刺添付機能をもったパンフレット。
【請求項９】
名刺を添付した状態で手渡すことが可能なパンフレットであって、
パンフレットとしての記載事項が印刷された表示面を有する紙面から構成され、折り畳むことにより前記名刺とほぼ同じサイズの積層体もしくは前記名刺とほぼ同じサイズの枠内に収まるサイズの積層体を形成することが可能な本体部を備え、前記積層体の最上層にはスリットもしくは開口窓が形成されており、
このスリットもしくは開口窓に前記名刺の一部を差し込み、前記名刺を前記積層体に揃えたときに、前記スリットもしくは開口窓によって前記名刺が保持され、かつ、前記名刺の一部が上方から視認できるように構成したことを特徴とする名刺添付機能をもったパンフレット。
【請求項１０】
請求項１，２，５，７，８，９のいずれかに記載のパンフレットにおいて、
平面上に名刺大の長方形を複数隣接配置してなる図形を定義し、各長方形をそれぞれ外枠とする任意形状の紙面により本体部となる積層体の各層を形成し、各長方形の輪郭線に沿った折り目を用いて折り畳むことにより積層体が形成できるようにしたことを特徴とする名刺添付機能をもったパンフレット。
【請求項１１】
請求項１〜１０のいずれかに記載のパンフレットにおいて、
本体部に対して折り目を介して連接した紙片から構成されるフラップ部を更に設け、
前記フラップ部を、前記本体部の積層体の最下層の下に折り込むか、もしくは、前記本体部の積層体の中間層に挿入することにより、前記本体部が積層体の状態を維持することができるようにしたことを特徴とする名刺添付機能をもったパンフレット。
【請求項１２】
請求項１１に記載のパンフレットにおいて、
「フラップ部」もしくは「このフラップ部を本体部に対して折り曲げたときに接することになる本体部側の当接領域」に、これら両者を粘着状態にするための粘着層を形成したことを特徴とする名刺添付機能をもったパンフレット。
【請求項１３】
請求項１１に記載のパンフレットにおいて、
「フラップ部」もしくは「このフラップ部を本体部に対して折り曲げたときに接することになる本体部側の当接領域」に、これら両者を係合状態にするための切れ目を形成したことを特徴とする名刺添付機能をもったパンフレット。
【請求項１４】
請求項１〜１３のいずれかに記載のパンフレットにおいて、
積層体の最上層となる部分に、名刺を粘着固定するための粘着層を形成したことを特徴とする名刺添付機能をもったパンフレット。
【請求項１５】
請求項１〜１４のいずれかに記載のパンフレットにおいて、
本体部の所定箇所に、任意形状を有する装飾用の開口窓を形成したことを特徴とする名刺添付機能をもったパンフレット。
【請求項１６】
請求項１〜１５のいずれかに記載のパンフレットにおいて、
各部の折り目の全部もしくは一部をミシン目によって構成し、必要に応じて、このミシン目を利用してパンフレットの一部分を切り離せるように構成したことを特徴とする名刺添付機能をもったパンフレット。
【請求項１７】
請求項１〜１６のいずれかに記載のパンフレットにおいて、
本体部が、会社・店舗案内用の書状、飲食物のメニュー、商品・役務を掲載したチラシ・カタログ、催事案内用の書状、商品・役務に関するクーポン券・サービス券・割引券もしくはカレンダーなどの印刷物によって構成されていることを特徴とする名刺添付機能をもったパンフレット。
【考案の詳細な説明】
【技術分野】
【０００１】
本考案は、名刺添付機能をもったパンフレットに関し、特に、名刺大に折り畳み、名刺とともに手渡すのに適したパンフレットに関する。
【背景技術】
【０００２】
商業活動を促進させるための重要な手法として、様々な業務分野において、パンフレットの積極的な活用が行われている。パンフレットに掲載する事項は、会社案内、店舗案内、提供する商品や役務の内容、キャンペーンの情報、付加的なサービスの提供内容など、業種によって様々であるが、いずれの場合も、このようなパンフレットの配布は、営業活動に必要な情報を顧客に提示する手段として極めて有用である。
【０００３】
なお、本願では、「パンフレット」という用語を、種々の商業的情報を掲載して配布する印刷物を広く指す文言として用いることにする。したがって、会社案内、店舗案内などは勿論のこと、商品・役務を掲載したカタログやチラシ、飲食物のメニュー、キャンペーンや催事のお知らせ、クーポン券・サービス券・割引券、カレンダーなどの印刷物も含めて、本願では、「パンフレット」と呼ぶことにする。
【０００４】
一方、商業活動を行う際に、社会人としての自分自身の情報を顧客に提示する手段の代表格は名刺であり、営業活動において最も利用頻度の高い道具と言える。したがって、実際の商業活動では、顧客に自社のパンフレットを手渡す場合、名刺を一緒に手渡すことが少なくない。特に、初対面の顧客に対して、自社の業務内容を紹介するとともに、自分自身を紹介するケースでは、通常、パンフレットと名刺とを同時に手渡すことになろう。
【０００５】
このような便宜を考慮して、たとえば、下記の特許文献１には、商品カタログ等のパンフレットの裏面に、名刺付着欄を設けておき、ここに自己の名刺を貼り付けて、顧客に手渡すことができるようにする技術が開示されている。また、下記の特許文献２には、名刺と割引券とを同一の紙面上に形成し、両者の境界にミシン目を入れて切り離しができるようにする技術が開示されている。これらの技術を利用すれば、名刺とパンフレットとを一体として手渡すことができるので便利である。
【特許文献１】特開２００５−１９９７２９号公報
【特許文献２】特開２００５−２９７５２５号公報
【考案の開示】
【考案が解決しようとする課題】
【０００６】
通常、名刺はＢ８判という標準サイズ（５５ｍｍ×９１ｍｍ）が規格で定まっており、商業活動で利用されている名刺の多くは、この標準サイズのものである。また、市販の名刺入れや名刺フォルダなどは、ほとんどが、この標準サイズの名刺を収容することを前提として設計されている。このため、多くの人は、受け取った名刺を、この標準的な名刺入れや名刺フォルダに収容して整理しているのが実情である。
【０００７】
このような実情を考慮すると、前掲の各特許文献に掲載された技術は、パンフレットと名刺とを同時に手渡す際に、両者が一体となっているので非常に便利であるが、受け取った側の名刺管理の便宜は十分に図られてはいない。たとえば、特許文献１の技術では、パンフレットに名刺が貼り付けられてしまうため、受け取った者が、名刺だけを名刺フォルダなどに整理したい場合、これを剥がす必要がある。一方、特許文献２の技術では、やはり受け取った名刺を名刺フォルダなどに整理したい場合、ミシン目から切り離す作業を行う必要がある。
【０００８】
もうひとつの問題は、前掲の各特許文献に掲載された技術を利用した場合、受け取る側の感覚として、あくまでもパンフレットを受け取ったという印象が強く、名刺を受け取ったという意識に欠けるという点である。通常、初対面の相手と挨拶を交わす際には、双方の名刺を交換するという儀礼を行うのが一般的である。ところが、前掲の各特許文献に掲載された印刷物では、名刺としての印象が弱いため、名刺を交換するという儀礼上の役割を十分に果たすことはできない。
【０００９】
そこで本考案は、名刺とパンフレットとを一体として手渡すことができ、かつ、名刺を受け取ったという印象を与えることができ、しかも受け取った名刺の整理を容易に行うことが可能な名刺添付機能をもったパンフレットを提供することを目的とする。
【課題を解決するための手段】
【００１０】
(1)   本考案の第１の態様は、名刺を添付した状態で手渡すことができる名刺添付機能をもったパンフレットを、
パンフレットとしての記載事項が印刷された表示面を有する紙面から構成され、折り畳むことにより名刺とほぼ同じサイズの積層体もしくは名刺とほぼ同じサイズの枠内に収まるサイズの積層体を形成することが可能な本体部と、
この本体部を構成する紙面に対して折り目を介して連接した紙片から構成され、この折り目を折ることにより、積層体の最上層の上に更に積層した状態となり、かつ、積層体の一部分のみを覆う状態となる挟持部と、
によって構成し、積層体の最上層と挟持部との間に名刺を挿入して、名刺を積層体に揃えたときに、挟持部によって名刺が保持され、かつ、名刺の一部が上方から視認できるように構成したものである。
【００１１】
(2)   本考案の第２の態様は、上述した第１の態様に係る名刺添付機能をもったパンフレットにおいて、
平面上にＸＹ二次元直交座標系を定義したときに、
少なくとも一部がＹ軸上に位置する左辺と、少なくとも一部がＸ軸上に位置する下辺と、を有し、第１象限に配置された第１の領域と、
少なくとも一部がＹ軸上に位置する右辺と、少なくとも一部がＸ軸上に位置する下辺と、を有し、第２象限に配置された第２の領域と、
少なくとも一部がＹ軸上に位置する右辺と、少なくとも一部がＸ軸上に位置する上辺と、を有し、第３象限に配置された第３の領域と、
少なくとも一部がＹ軸上に位置する左辺と、少なくとも一部がＸ軸上に位置する上辺と、を有し、第４象限に配置された第４の領域と、
を定義し、第１の領域と第２の領域とはＹ軸を折り目として折り畳むことができ、第２の領域と第３の領域とはＸ軸を折り目として折り畳むことができ、第３の領域と第４の領域とはＹ軸を折り目として折り畳むことができ、第４の領域と第１の領域とはＸ軸を折り目として折り畳むことができるように構成し、
第１〜第４の領域のいずれか１つの領域を挟持部用領域、残りの３つの領域を本体部用領域として、少なくとも前記挟持部用領域を用いて挟持部を構成し、少なくとも前記本体部用領域を用いて本体部を構成したものである。
【００１２】
(3)   本考案の第３の態様は、上述した第１の態様に係る名刺添付機能をもったパンフレットにおいて、
本体部が、第１の長方形の下に第２の長方形が位置し、第２の長方形の右に第３の長方形が位置するように、それぞれが配置された少なくとも３つの長方形を含む紙面からなり、各長方形の境界線に沿った折り目を用いて折り畳むことにより、第１の長方形を最上層とする積層体が形成できるように構成され、
挟持部が、少なくとも、第１の長方形の右方に第１の長方形の右辺の少なくとも一部を折り目として連接し、かつ、第３の長方形の上方に第３の長方形の上辺の少なくとも一部を折り目として連接する紙片により構成されているようにしたものである。
【００１３】
(4)   本考案の第４の態様は、上述した第１の態様に係る名刺添付機能をもったパンフレットにおいて、
本体部が、第１の長方形の下に第２の長方形が位置し、第２の長方形の右に第３の長方形が位置し、第２の長方形の左に第４の長方形が位置するように、それぞれが配置された少なくとも４つの長方形を含む紙面からなり、各長方形の境界線に沿った折り目を用いて折り畳むことにより、第１の長方形を最上層とする積層体が形成できるように構成され、
挟持部が、少なくとも、第１の長方形の右方に第１の長方形の右辺の少なくとも一部を折り目として連接し、かつ、第３の長方形の上方に第３の長方形の上辺の少なくとも一部を折り目として連接する第１の紙片と、第１の長方形の左方に第１の長方形の左辺の少なくとも一部を折り目として連接し、かつ、第４の長方形の上方に第４の長方形の上辺の少なくとも一部を折り目として連接する第２の紙片と、により構成されているようにしたものである。
【００１４】
(5)   本考案の第５の態様は、上述した第１の態様に係る名刺添付機能をもったパンフレットにおいて、
挟持部に対して折り目を介して連接した紙片から構成される係止部を更に設け、
係止部を、積層体の最下層の下に折り込むか、もしくは、積層体の中間層に挿入することにより、挟持部を積層体の最上層の上に維持させることができるようにしたものである。
【００１５】
(6)   本考案の第６の態様は、上述した第５の態様に係る名刺添付機能をもったパンフレットにおいて、
本体部が、互いに隣接して配置された複数の長方形を含む紙面からなり、この長方形の輪郭線に沿った折り目を用いて折り畳むことにより積層体が形成できるように構成され、
挟持部が、上記長方形のうちのいずれかの一辺を連接辺とした正方形の形状をした紙片を対角線で折り畳むことにより得られる直角二等辺三角形状の紙片から構成され、
係止部が、上記正方形の上記連接辺に対向する別な一辺を連接辺とした紙片から構成されているようにしたものである。
【００１６】
(7)   本考案の第７の態様は、上述した第１の態様に係る名刺添付機能をもったパンフレットにおいて、
挟持部を、紙片を折り曲げることにより形成される２層以上の構造体によって構成し、
本体部に対して折り目を介して連接した紙片から構成される係止部を更に設け、
この係止部を、挟持部の中間層に挿入することにより、挟持部を本体部の積層体の最上層の上に維持させることができるようにしたものである。
【００１７】
(8)   本考案の第8の態様は、上述した第７の態様に係る名刺添付機能をもったパンフレットにおいて、
挟持部に対して折り目を介して連接した紙片から構成され、挟持部を広げるための摘みとして機能する摘み部を更に設けるようにしたものである。
【００１８】
(9)   本考案の第９の態様は、名刺を添付した状態で手渡すことが可能なパンフレットを、
パンフレットとしての記載事項が印刷された表示面を有する紙面から構成され、折り畳むことにより前記名刺とほぼ同じサイズの積層体もしくは名刺とほぼ同じサイズの枠内に収まるサイズの積層体を形成することが可能な本体部によって構成し、この積層体の最上層にはスリットもしくは開口窓を形成するようにし、
このスリットもしくは開口窓に前記名刺の一部を差し込み、前記名刺を前記積層体に揃えたときに、前記スリットもしくは開口窓によって前記名刺が保持され、かつ、前記名刺の一部が上方から視認できるように構成したものである。
【００１９】
(10)  本考案の第１０の態様は、上述した第１，２，５，７，８，９のいずれかの態様に係る名刺添付機能をもったパンフレットにおいて、
平面上に名刺大の長方形を複数隣接配置してなる図形を定義し、各長方形をそれぞれ外枠とする任意形状の紙面により本体部となる積層体の各層を形成し、各長方形の輪郭線に沿った折り目を用いて折り畳むことにより積層体が形成できるようにしたものである。
【００２０】
(11)  本考案の第１１の態様は、上述した第１〜第１０の態様に係る名刺添付機能をもったパンフレットにおいて、
本体部に対して折り目を介して連接した紙片から構成されるフラップ部を更に設け、
前記フラップ部を、前記本体部の積層体の最下層の下に折り込むか、もしくは、前記本体部の積層体の中間層に挿入することにより、前記本体部が積層体の状態を維持することができるようにしたものである。
【００２１】
(12)  本考案の第１２の態様は、上述した第１１の態様に係る名刺添付機能をもったパンフレットにおいて、
「フラップ部」もしくは「このフラップ部を本体部に対して折り曲げたときに接することになる本体部側の当接領域」に、これら両者を粘着状態にするための粘着層を形成したものである。
【００２２】
(13)  本考案の第１３の態様は、上述した第１１の態様に係る名刺添付機能をもったパンフレットにおいて、
「フラップ部」もしくは「このフラップ部を本体部に対して折り曲げたときに接することになる本体部側の当接領域」に、これら両者を係合状態にするための切れ目を形成したものである。
【００２３】
(14)  本考案の第１４の態様は、上述した第１〜１３の態様に係る名刺添付機能をもったパンフレットにおいて、
積層体の最上層となる部分に、名刺を粘着固定するための粘着層を形成したものである。
【００２４】
(15)  本考案の第１５の態様は、上述した第１〜１４の態様に係る名刺添付機能をもったパンフレットにおいて、
本体部の所定箇所に、任意形状を有する装飾用の開口窓を形成したものである。
【００２５】
(16)  本考案の第１６の態様は、上述した第１〜第１５の態様に係る名刺添付機能をもったパンフレットにおいて、
各部の折り目の全部もしくは一部をミシン目によって構成し、必要に応じて、このミシン目を利用してパンフレットの一部分を切り離せるように構成したものである。
【００２６】
(17)  本考案の第１７の態様は、上述した第１〜第１６の態様に係る名刺添付機能をもったパンフレットにおいて、
本体部を、会社・店舗案内用の書状、飲食物のメニュー、商品・役務を掲載したチラシ・カタログ、催事案内用の書状、商品・役務に関するクーポン券・サービス券・割引券もしくはカレンダーなどの印刷物によって構成したものである。
【考案の効果】
【００２７】
本考案に係る名刺添付機能をもったパンフレットを用いれば、積層体の最上層と挟持部との間、もしくは最上層に形成されたスリットに名刺を挟むことにより、折り畳んだパンフレットの上面に名刺が保持されるようになるので、名刺とパンフレットとを一体として手渡すことができる。また、積層体は名刺とほぼ同じサイズであり、名刺の一部分のみが隠れた状態になるだけなので、相手方には、名刺を受け取ったという印象を与えることができる。しかも、挟んだ名刺は容易に取り外すことができるので、受け取った名刺の整理も容易になる。
【考案を実施するための最良の形態】
【００２８】
以下、本考案を図示する実施形態に基づいて説明する。
【００２９】
＜＜＜  §０．基本的実施形態  ＞＞＞
はじめに、本考案に係る名刺添付機能をもったパンフレットの基本的な実施形態を、図１の斜視図を参照しながら説明する。図示のとおり、このパンフレットは、本体部１０および挟持部２０によって構成されており、名刺４０を添付した状態で手渡すことが可能なパンフレットとして機能する。
【００３０】
本体部１０は、パンフレットとしての記載事項が印刷された表示面を有する紙面から構成され、折り畳むことにより名刺４０とほぼ同じサイズの積層体を形成することが可能な構成要素である。図１の斜視図には、この本体部１０を折り畳み、積層体を構成した状態が示されており、この積層体の上面には、最上層１１が現れている。後述するように、この積層体を広げると、１枚の紙面となり、この紙面上に、パンフレットとしての記載事項が印刷されている。なお、図１では、最上層１１には、何ら印刷がなされていない状態が示されているが、実際には、必要に応じて、この最上層１１には、パンフレットとしての記載事項の印刷が行われることになる。
【００３１】
挟持部２０は、この本体部１０を構成する紙面に対して折り目を介して連接した紙片から構成され、この折り目を折ることにより、本体部１０の積層体の最上層１１の上に更に積層した状態となる。図示の例では、三角形状の挟持部２０が、最上層１１の更に上に配置された状態が示されている。この挟持部２０は、本体部１０と折り目によって繋がっており、最上層１１の上で定位置を維持することになる。挟持部２０の具体的な構成方法は、§１以下の各実施形態で例示する。
【００３２】
挟持部２０と最上層１１とは別個の層であり、両者間には、図に矢印Ａで示すような挿入口が形成されている。したがって、この挿入口Ａから差し込むようにすると、最上層１１と挟持部２０との間に名刺４０を挿入することが可能である。挿入した名刺４０を本体部１０の積層体に揃えると、挟持部２０によって名刺４０が最上層１１の上面に保持された状態になる。しかも、挟持部２０は、積層体の一部分のみを覆う形態をとるため（図示の例では、積層体の１つの隅の三角形領域の部分のみが覆われている）、名刺４０の覆われていない部分が上方から視認できるようになる。
【００３３】
図２は、図１に示すパンフレットに名刺４０を挟み込んだ状態を示す斜視図である。この例では、図示のとおり、名刺４０の左下隅の一部分は挟持部２０によって隠されているが、名刺４０の大部分は露出しており、名刺４０の記載事項のほとんどは視認可能である。挟持部２０は、最上層１１との間に名刺４０を挟んで保持する機能を果たすものであり、挟持部２０の面積が小さくなればなるほど、名刺４０の視認性は向上するが、保持機能は低下する。逆に、挟持部２０の面積が大きくなればなるほど、名刺４０の視認性は低下するが、保持機能は向上する。したがって、挟持部２０の大きさ、形状、位置は、一緒に利用する名刺４０の印刷内容や、名刺を添付した状態での相手への配布状況などを考慮して、適宜決定すればよい。
【００３４】
図２の状態を見れば明らかなように、このパンフレットは、折り畳むことにより、ほぼ名刺と同じサイズになる。積層体の層数（枚数）が多くなれば、一般の名刺に比べて厚みは若干増すことになるが、平面的なサイズは、ほぼ名刺大であり、全体として、名刺とほぼ同じサイズの物体になる。しかも、上面には、差し込んだ名刺４０の一部（この例では、ほとんどの部分）が見えた状態となっているので、受け取った側から見ると、若干厚めの名刺を受け取ったという印象を受ける。したがって、名刺交換などの儀礼上、この図２に示す状態の「パンフレット＋名刺」を、名刺の代用として用いても、相手方に大きな違和感を与えることはない。すなわち、名刺とパンフレットとを一体として手渡すことができ、しかも相手には、名刺を受け取ったという印象を与えることができる。
【００３５】
この図２に示す「パンフレット＋名刺」は、名刺４０が挟持部２０によって保持されているため、受け渡し時には、図示の形態を維持しているが、受け取った側は、名刺４０をすぐに取り外すことが可能であり、必要があれば、これを通常の名刺フォルダなどに入れて整理することができる。このように、受け取った側が、受け取った名刺の整理を容易に行うことができる点は、本考案の大きな特徴のひとつである。もちろん、図２に示すように、名刺４０を挟み込んだ状態で、このパンフレット全体を名刺フォルダなどに入れて整理することも可能である。一方、積層体を構成している本体部１０は、後に種々の実施形態の展開図として示すとおり、広げれば１枚の紙面となるので、パンフレットとしての機能を果たすことができる。
【００３６】
以上、本考案の基本概念を、図１および図２の斜視図に基づいて説明したが、本考案に係るパンフレットの具体的な構造は、その展開図によって示した方が理解しやすい。そこで、以下、個々の実施形態をそれぞれ図面を参照しながら説明する。本考案の最も基本的な考え方は、パンフレットとしての記載事項が印刷された表示面を有する紙面からなる本体部１０を折り畳むことにより名刺４０とほぼ同じサイズの積層体を形成し、この積層体の最上層１１の上に、名刺４０を一時的に固定できるように、何らかの手段を付加する、という点にある。以下に述べる個々の実施形態は、この名刺４０を固定する手法がそれぞれ異なるものである。
【００３７】
なお、一般的な名刺４０は、そのほとんどが長方形をしているため、本考案を実施する場合も、積層体の平面形状が長方形になるようにするのが一般的である。したがって、実用上は、互いに隣接して配置された複数の長方形を含む紙面によって本体部１０を構成するようにし、この長方形の輪郭線に沿った折り目を用いて折り畳むことにより積層体が形成できるようにするのが一般的であろう。したがって、以下に述べる個々の実施形態では、互いに隣接して配置された複数の長方形を含む紙面によって本体部１０を構成した例を示すことにする。もちろん、本体部１０は、必ずしも複数の長方形の集合によって構成する必要はなく、必要に応じて、任意の形状にすることが可能である。
【００３８】
＜＜＜  §１．第１の実施形態  ＞＞＞
この第１の実施形態の特徴は、本体部１０を構成する紙面に対して、２辺が接している挟持部２０を用い、この挟持部２０によって、名刺４０を保持する点にある。図３に、この第１の実施形態に係るパンフレットの展開図を示す。
【００３９】
図示のとおり、このパンフレットは、１枚の紙面によって構成されており、４つの長方形状の領域１１，１２，１３，１４と、１つの三角形状の領域２０とを有している。これら各領域間の境界線は、それぞれが折り目として機能し、この１枚の紙面を、各折り目に沿って折り畳むことにより、名刺大の積層体と挟持部とが形成されることになる。図３の展開図において、４つの長方形状の領域１１，１２，１３，１４は、いずれもほぼ名刺４０と同じサイズの領域であり、これらの領域１１，１２，１３，１４の集合が、本体部１０ということになる。なお、本願明細書および図面では、本体部１０の構成要素となる各領域を、十番台の符号を用いて示すことにする。この本体部１０は、パンフレットとしての記載事項が印刷された表示面を有する紙面であり、これを折り畳むことにより、図１に示すように、名刺４０とほぼ同じサイズの積層体を形成することができる。
【００４０】
図３の例は、会社案内用のパンフレットの例であり、領域１１，１２，１３，１４に、会社案内用の情報がそれぞれ印刷されている。したがって、このパンフレットを受け取った者は、図３に示すように本体部１０を広げることにより、会社案内を読むことができる。もちろん、パンフレットとしての記載事項は、本体部１０を構成する紙面のいずれの面に印刷してもかまわないので、図３に示す展開図には示されていない裏面側に印刷を行ってもよい。また、本体部１０を構成する各領域１１，１２，１３，１４の必ずしも全部に印刷を行う必要もないし、必要に応じて、挟持部２０に印刷を行うことも可能である。
【００４１】
一方、三角形をした挟持部２０は、この本体部１０を構成する紙面に対して折り目（図示の例の場合、折り目Ｆ２，Ｆ４）を介して連接した紙片であり、本体部１０を折り畳んで積層体とした場合に、この積層体の最上層１１の上に位置した状態となる。この挟持部２０により名刺４０を保持することができる点は、既に述べたとおりである。
【００４２】
図４は、図３に示すパンフレットを畳んだ状態を示す平面図であり、最上層１１の右下隅に、挟持部２０が配置されている様子が示されている。図１に示す図は、図４に示す折り畳んだ状態のパンフレットの斜視図に対応する。図３に示す展開状態から、図４に示す折り畳み状態へもってゆくには、次のような手順で、各領域を折り畳んでゆけばよい。なお、本願図面では、各折り目を「Ｆ＋番号」の形式の符号で示すことにし、Ｆに続く番号は、折り畳み作業の順序を示すものとする。また、折り目は、破線もしくは一点鎖線で示すことにし、破線は谷折り、一点鎖線は山折りを表わすものとする。
【００４３】
まず、図３の展開図において、折り目Ｆ１，Ｆ２に沿って谷折りを行い、領域１３を領域１２の上に重ねる。このとき、挟持部２０も領域１１の右下位置に折り返されることになる。続いて、折り目Ｆ３に沿って山折りを行えば、領域１２，１３は、重なった状態のまま、領域１１の裏側へと折り上げられる。このとき、折り目Ｆ４も一緒に折り曲げられる。最後に、折り目Ｆ５を山折りして、領域１４を、領域１１の裏側に存在する領域１２，１３の更に裏側へと折り下げると、図４に示す折り畳み状態となる。
【００４４】
このとき、本体部１０は、４層からなる積層体となっているが、上方から順に、領域１１（最上層），領域１２（第２層），領域１３（第３層），領域１４（最下層）という構成になる。ちなみに、本願図面では、本体部１０を構成する個々の長方形の領域に対して、折り畳んで積層体を構成した状態における上層側から順に、１１，１２，１３，…と符号を付すことにする。したがって、展開図における領域１１は、必ず積層体の最上層となる。
【００４５】
図４に示す挟持部２０は、直角二等辺三角形をした紙片であるが、その右辺は図３に示す折り目Ｆ２に対応し、その下辺は図３に示す折り目Ｆ４に相当する。したがって、図４のような折り畳み状態において、挟持部２０の右辺および下辺は固定された状態となる。そのため、図２に示すように、名刺４０を挟持部２０の下に差し込んだ場合、名刺４０は挟持部２０によってしっかりと保持される。
【００４６】
なお、図３に示す展開図を見ればわかるとおり、挟持部２０を支持する機能を果たしているのは、領域１１，１２，１３という３つの長方形であり、領域１４は、挟持部２０の支持には無関係である。したがって、この第１の実施形態の最小限構成要素は、３つの長方形状の領域１１，１２，１３と、これらによって支持されている挟持部２０ということになる。なお、図示の例では、挟持部２０は、直角二等辺三角形をしているが、挟持部２０の形状は任意でかまわない。重要な点は、挟持部２０の左辺が折り目Ｆ２を構成し、下辺が折り目Ｆ４を構成する点である。
【００４７】
結局、この第１の実施形態に係るパンフレットの特徴は、次の２つの要点に集約される。第１点は、本体部１０が、第１の長方形（領域１１）の下に第２の長方形（領域１２）が位置し、第２の長方形（領域１２）の右に第３の長方形（領域１３）が位置するように、それぞれが配置された少なくとも３つの長方形を含む紙面からなり、各長方形の境界線に沿った折り目を用いて折り畳むことにより、第１の長方形（領域１１）を最上層とする積層体が形成できるように構成されている点である。図示の例では、本体部１０は、更に、第４の長方形（領域１４）も含んだ紙面から構成されているが、これは必須ではない。また、更に、第５，第６，第７，…といった長方形を付加した紙面によって本体部１０を構成することも可能であるし、長方形以外の領域を付加することも可能である。
【００４８】
そして、第２点は、挟持部２０が、少なくとも、第１の長方形（領域１１）の右方に、この第１の長方形（領域１１）の右辺の少なくとも一部を折り目（図示の例では、折り目Ｆ２）として連接し、かつ、第３の長方形（領域１３）の上方に、この第３の長方形（領域１３）の上辺の少なくとも一部を折り目（図示の例では、折り目Ｆ４）として連接する紙片により構成されている点である。このような条件を満たしている限り、挟持部２０はどのような形状の紙片であってもかまわない。
【００４９】
続いて、この第１の実施形態のバリエーションを、図５および図６を参照しながら説明する。図５は、このバリエーションに係るパンフレットの展開図、図６は、このパンフレットを畳み込む途中の状態を示す平面図である。上述した例との大きな相違点は、挟持部が２箇所に形成されている点である。
【００５０】
図５の展開図に示されているとおり、このパンフレットは、５つの長方形状の領域１１，１２，１３，１４，１５と、２つの三角形状の領域２０Ｌ，２０Ｒと、フラップ部３０と、を有している。やはり、これら各領域間の境界線は、それぞれが折り目として機能し、この１枚の紙面を、各折り目に沿って折り畳むことにより、名刺大の積層体と挟持部とが形成されることになる。図５の展開図において、５つの長方形状の領域１１，１２，１３，１４，１５は、いずれもほぼ名刺４０と同じサイズの領域であり、これらの領域１１，１２，１３，１４，１５の集合が、本体部１０ということになる。これを折り畳むことにより、図６に示すように、名刺４０とほぼ同じサイズの積層体を形成することができる。フラップ部３０の役割は後述する。
【００５１】
なお、前述したとおり、本考案の本体部１０には、実際には、パンフレットとしての記載事項が印刷されることになるが（たとえば、図３参照）、図５以降では、図が繁雑になるのを避けるため、パンフレットの印刷事項の図示は省略する。
【００５２】
さて、図５の展開図に示された２つの挟持部２０Ｌ，２０Ｒは、本体部１０を構成する紙面に対して折り目を介して連接した紙片であり、本体部１０を折り畳んで積層体とした場合に、この積層体の最上層１１の上に配置された状態となる。この挟持部２０Ｌ，２０Ｒにより、名刺４０を最上層１１上に保持することができる点は、前述の実施例と同様である。
【００５３】
図６は、図５に示すパンフレットを畳んだ状態を示す平面図であり、最上層１１の左右の下隅に、挟持部２０Ｌ，２０Ｒが配置されている様子が示されている。名刺４０の左右両隅を挿入口Ａ，Ｂに差し込めば、名刺４０は、挟持部２０Ｌ，２０Ｒによってしっかりと保持されることになる。図５に示す展開状態から、図６に示す折り畳み状態へもってゆくには、次のような手順で、各領域を折り畳んでゆけばよい。
【００５４】
まず、図５の展開図において、折り目Ｆ１，Ｆ２に沿って谷折りを行い、領域１３を領域１２の上に重ねる。このとき、挟持部２０Ｒも領域１１の右下位置に折り返されることになる。同様に、折り目Ｆ３，Ｆ４に沿って谷折りを行い、領域１４を、領域１２の上に位置する領域１３の上に重ねる。このとき、挟持部２０Ｌも領域１１の左下位置に折り返されることになる。続いて、折り目Ｆ５に沿って山折りを行えば、領域１２，１３，１４は、重なった状態のまま、領域１１の裏側へと折り上げられる。このとき、折り目Ｆ６，Ｆ７も一緒に折り曲げられる。最後に、折り目Ｆ８を山折りして、領域１５を、領域１１の裏側に存在する領域１２，１３，１４の更に裏側へと折り下げると、図６に示す折り畳み状態となる。
【００５５】
このとき、本体部１０は、５層からなる積層体となり、上方から順に、領域１１（最上層），領域１２（第２層），領域１３（第３層），領域１４（第４層），領域１５（最下層）という構成になる。
【００５６】
このバリエーションにおいても、図５に示す展開図を見ればわかるとおり、挟持部２０Ｌ，２０Ｒを支持する機能を果たしているのは、領域１１，１２，１３，１４という４つの長方形であり、領域１５は、挟持部２０Ｌ，２０Ｒの支持には無関係である。したがって、この第１の実施形態のバリエーションの最小限構成要素は、４つの長方形状の領域１１，１２，１３，１４と、これらによって支持されている２つの挟持部２０Ｌ，２０Ｒということになる。もちろん、このバリエーションにおいても、２つの挟持部２０Ｌ，２０Ｒの形状は直角二等辺三角形に限定されるものではない。
【００５７】
結局、この第１の実施形態に係るパンフレットの特徴は、次の２つの要点に集約される。第１点は、本体部１０が、第１の長方形（領域１１）の下に第２の長方形（領域１２）が位置し、第２の長方形（領域１２）の右に第３の長方形（領域１３）が位置し、第２の長方形（領域１２）の左に第４の長方形（領域１４）が位置するように、それぞれが配置された少なくとも４つの長方形を含む紙面からなり、各長方形の境界線に沿った折り目を用いて折り畳むことにより、第１の長方形（領域１１）を最上層とする積層体が形成できるように構成されている点である。図示の例では、本体部１０は、更に、第５の長方形（領域１５）および後述するフラップ部３０も含んだ紙面から構成されているが、これは必須ではない。また、更に、第６，第７，第８，…といった長方形を付加した紙面によって本体部１０を構成することも可能であるし、長方形以外の領域を付加することも可能である。
【００５８】
そして、第２点は、挟持部２０が、第１の紙片２０Ｒと第２の紙片２０Ｌとの２つの紙片によって構成されている点である。ここで、第１の紙片２０Ｒは、第１の長方形（領域１１）の右方に、この第１の長方形（領域１１）の右辺の少なくとも一部を折り目（図示の例では、折り目Ｆ２）として連接し、かつ、第３の長方形（領域１３）の上方に、この第３の長方形（領域１３）の上辺の少なくとも一部を折り目（図示の例では、折り目Ｆ７）として連接する紙片である。また、第２の紙片２０Ｌは、第１の長方形（領域１１）の左方に、この第１の長方形（領域１１）の左辺の少なくとも一部を折り目（図示の例では、折り目Ｆ４）として連接し、かつ、第４の長方形（領域１４）の上方に、この第４の長方形（領域１４）の上辺の少なくとも一部を折り目（図示の例では、折り目Ｆ６）として連接する紙片である。
【００５９】
もちろん、挟持部２０は、第１の紙片２０Ｒと第２の紙片２０Ｌとの２つの紙片のみによって構成する必要はなく、必要があれば、第３の紙片や第４の紙片を追加することも可能である。
【００６０】
最後に、フラップ部３０の機能を説明する。図５の展開図に示されている紙面を、上述した手順で折ってゆくと、図６に示すような状態が得られるが、これはまだ、最終的な状態ではない。最後に、フラップ部３０を上へと折り上げ、積層体の第２層（領域１２）と第３層（領域１３）との間に差し込むようにすれば、名刺大の平面形状をもった積層体が得られ、このパンフレットを完全に畳み込んだ状態が完成する。フラップ部３０は、このパンフレット全体を名刺大に折り畳んだときに、全体が容易に広がらないように維持する機能を有する。
【００６１】
もちろん、各折り目をある程度しっかりと折るようにすれば、フラップ部３０を設けておかなくても、積層体はほぼ平坦な形態を維持することができる。したがって、本考案を実施する上で、フラップ部３０は必須のものではない。しかし、図示の例のように、フラップ部３０を設けておけば、積層体を平坦な状態に維持させる十分な効果が得られる。
【００６２】
なお、フラップ部３０は、必ずしも積層体の中間層に挿入して用いる形態にする必要はない。たとえば、図５に示す例では、フラップ部３０が、領域１５の上辺に連接する位置に設けられているが、代わりに、領域１１（最上層）の右辺上部（挟持部２０Ｒと干渉しない位置）や左辺上部（挟持部２０Ｌと干渉しない位置）に連接する位置に設けておけば、これを積層体の最下層の下に折り込むだけで、積層体を平坦な状態に維持させる効果が得られる。
【００６３】
結局、本体部に対して折り目を介して連接した紙片から構成されるフラップ部を更に設けておき、このフラップ部を、本体部の積層体の最下層の下に折り込むか、もしくは、本体部の積層体の中間層に挿入すれば、本体部が平坦な積層体の状態を維持し続けるような効果が期待できる。なお、このフラップ部３０の効果は、後述する各実施形態についても同様に有効である。
【００６４】
以上、図３および図５に示す展開図をもったパンフレットを第１の実施形態として説明したが、前述したとおり、本考案における本体部１０は、必ずしも複数の長方形の集合によって構成する必要はなく、必要に応じて、任意の形状にすることが可能である。たとえば、図３に示す例において、領域１１の左辺は必ずしも直線状にする必要はなく、領域１２の左下隅部分も任意の形状にすることが可能である。また、領域１３の上辺の右側部分、右辺、下辺なども任意の形状にすることができる。
【００６５】
結局、この第１の実施形態の本質的な技術思想は、図３に示すように、領域１２，１３の上辺に沿ってＸ軸を定義し、領域１１，１２の右辺に沿ってＹ軸を定義し、平面上にＸＹ二次元直交座標系を定義したときに、少なくとも一部がＹ軸上に位置する左辺と、少なくとも一部がＸ軸上に位置する下辺と、を有し、第１象限に配置された第１の領域（この例では、挟持部２０）と、少なくとも一部がＹ軸上に位置する右辺と、少なくとも一部がＸ軸上に位置する下辺と、を有し、第２象限に配置された第２の領域（この例では、領域１１）と、少なくとも一部がＹ軸上に位置する右辺と、少なくとも一部がＸ軸上に位置する上辺と、を有し、第３象限に配置された第３の領域（この例では、領域１２）と、少なくとも一部がＹ軸上に位置する左辺と、少なくとも一部がＸ軸上に位置する上辺と、を有し、第４象限に配置された第４の領域（この例では、領域１３）と、を設け、第１の領域と第２の領域とはＹ軸を折り目として折り畳むことができ、第２の領域と第３の領域とはＸ軸を折り目として折り畳むことができ、第３の領域と第４の領域とはＹ軸を折り目として折り畳むことができ、第４の領域と第１の領域とはＸ軸を折り目として折り畳むことができるように構成し、第１〜第４の領域のいずれか１つの領域（この例では、第１の領域２０）を挟持部用領域、残りの３つの領域を本体部用領域として、少なくとも前記挟持部用領域を用いて挟持部を構成し、少なくとも前記本体部用領域を用いて本体部を構成すればよい。
【００６６】
図５に示す挟持部２０Ｒの近傍の構成は、上述の構成と全く同じになる。一方、図５に示す挟持部２０Ｌの近傍の構成は、上述の構成において、第２象限に配置された第２の領域を挟持部用領域とした構成に相当する。
【００６７】
＜＜＜  §２．第２の実施形態  ＞＞＞
ここで述べる第２の実施形態の特徴は、挟持部２０に対して折り目を介して連接した紙片から構成される係止部２５なるものを付加し、この係止部２５を、積層体の最下層の下に折り込むか、もしくは、積層体の中間層に挿入することにより、挟持部２０を積層体の最上層の上に維持させることができるようにする点にある。図７に、この第２の実施形態に係るパンフレットの展開図を示す。
【００６８】
図示のとおり、このパンフレットは、１枚の紙面によって構成されており、５つの長方形状の領域１１，１２，１３，１４，１５（本体部１０を構成する領域）と、２つの三角形状の領域２０Ｌ，２０Ｒ（挟持部となる領域）と、２つのＵ字状の領域２５Ｌ，２５Ｒ（係止部となる領域）とを有している。これら各領域間の境界線は、それぞれが折り目として機能し、この１枚の紙面を、各折り目に沿って折り畳むことにより、名刺大の積層体、挟持部、係止部がそれぞれ形成されることになる。
【００６９】
図７の展開図において、５つの長方形状の領域１１，１２，１３，１４，１５は、いずれもほぼ名刺４０と同じサイズの領域であり、これらの領域１１，１２，１３，１４，１５の集合が、本体部１０ということになる。この本体部１０は、パンフレットとしての記載事項が印刷された表示面を有する紙面であり（印刷内容は図示省略）、これを折り畳むことにより、名刺４０とほぼ同じサイズの積層体を形成することができる。
【００７０】
一方、三角形をした挟持部２０Ｌ，２０Ｒは、この本体部１０を構成する紙面に対して折り目（図示の例の場合、折り目Ｆ５，Ｆ６）を介して連接した紙片であり、本体部１０を折り畳んで積層体とした場合に、この積層体の最上層１１の上に位置した状態となる。この挟持部２０Ｌ，２０Ｒにより名刺４０を保持することができる点は、これまで述べた実施形態と全く同様である。
【００７１】
図８は、図７に示すパンフレットを畳み込む途中の状態を示す平面図である。図７に示す展開状態から、図８に示す折り畳み状態へもってゆくには、次のような手順で、各領域を折り畳んでゆけばよい。
【００７２】
まず、図７の展開図において、折り目Ｆ１を谷折りして、領域１３を領域１２の上に重ねる。次に、折り目Ｆ２を谷折りして、領域１３，１２を、領域１４の上に重ねる。更に、折り目Ｆ３を谷折りして、領域１３，１２，１４を、領域１１の上に重ねる。最後に、折り目Ｆ４を谷折りして、領域１３，１２，１４，１１を、領域１５の上に重ねる。いわば、図７に示す各長方形領域を、上から下に向かって、パタパタと手前に倒しながら巻いてゆく折り畳み方を行うことになる。その結果、上から順に、領域１１（最上層），領域１２（第２層），領域１３（第３層），領域１４（第４層），領域１５（最下層）という構成をもった全５層の積層体が形成される。
【００７３】
次に、折り目Ｆ５を谷折りして、挟持部２０Ｌおよび係止部２５Ｌを上方へと折り上げ、同様に、折り目Ｆ６を谷折りして、挟持部２０Ｒおよび係止部２５Ｒを上方へと折り上げる。図８は、この時点の状態を示す平面図である。最後に、折り目Ｆ７を山折りして、係止部２５Ｌを積層体の最下層（領域１５）の下に折り込み、折り目Ｆ８を山折りして、係止部２５Ｒを積層体の最下層（領域１５）の下に折り込めば、このパンフレットの折り畳み作業は完了である。係止部２５Ｌ，２５Ｒを、積層体の最下層（領域１５）の下に折り込む代わりに、積層体の中間層に挿入してもよい。
【００７４】
この実施形態の特徴は、係止部２５Ｌ，２５Ｒを、積層体の最下層の下に折り込んだり、積層体の中間層に挿入したりすることにより、挟持部２０Ｌ，２０Ｒを固定する点にある。挟持部２０Ｌ，２０Ｒが図示の位置に固定されるので、挿入口Ａ，Ｂに名刺４０を差し込めば、名刺４０も定位置に保持される。
【００７５】
図９は、この第２の実施形態のバリエーションに係るパンフレットの展開図である。図７に示すパンフレットとは、形状がかなり異なっているが、係止部によって挟持部を固定する、という基本概念は共通である。
【００７６】
すなわち、図９に示すパンフレットは、１枚の紙面によって構成されており、４つの長方形状の領域１１，１２，１３，１４（本体部１０を構成する領域）と、特殊形状をした領域２０（挟持部となる領域）と、小さな長方形状の領域２５（係止部となる領域）とを有している。これら各領域間の境界線は、それぞれが折り目として機能し、この１枚の紙面を、各折り目に沿って折り畳むことにより、名刺大の積層体、挟持部、係止部がそれぞれ形成されることになる。
【００７７】
図９の展開図において、４つの長方形状の領域１１，１２，１３，１４は、いずれもほぼ名刺４０と同じサイズの領域であり、これらの領域１１，１２，１３，１４の集合が、本体部１０ということになる。この本体部１０は、パンフレットとしての記載事項が印刷された表示面を有する紙面であり（印刷内容は図示省略）、これを折り畳むことにより、名刺４０とほぼ同じサイズの積層体を形成することができる。
【００７８】
一方、特殊形状をした挟持部２０は、この本体部１０を構成する紙面に対して折り目（図示の例の場合、折り目Ｆ３，Ｆ５）を介して連接した紙片であり、本体部１０を折り畳んで積層体とした場合に、この積層体の最上層１１の上に配置された状態となる。この挟持部２０により名刺４０を保持することができる点は、これまで述べた実施形態と全く同様である。
【００７９】
図１０は、図９に示すパンフレットを畳み込む途中の状態を示す平面図である。図９に示す展開状態から、図１０に示す折り畳み状態へもってゆくには、次のような手順で、各領域を折り畳んでゆけばよい。
【００８０】
まず、図９の展開図において、折り目Ｆ１を山折りして、領域１３を領域１２の裏側に重ねる。次に、折り目Ｆ２，Ｆ３を山折りして、領域１２，１３を、領域１４の裏側に重ねるとともに、領域１１を領域２０（挟持部）の裏側へ重ねる。そして、折り目Ｆ４，Ｆ５を折ると、図１０に示す状態になる。最後に、折り目Ｆ６を山折りして、係止部２５を積層体の最下層（領域１４）の下に折り込むか、積層体の中間層に挿入すれば、折り畳み作業は完了する。挟持部２０が係止部２５によって固定されるので、名刺４０を挿入口Ａに差し込めば、名刺４０も定位置に保持される。
【００８１】
図１１は、この第２の実施形態の更に別なバリエーションに係るパンフレットの展開図である。やはり図７や図９に示すパンフレットとは、形状がかなり異なっているが、係止部によって挟持部を固定する、という基本概念は共通である。
【００８２】
すなわち、図１１に示すパンフレットは、１枚の紙面によって構成されており、４つの長方形状の領域１１，１２，１３，１４（本体部１０を構成する領域）と、正方形をした領域２０（挟持部となる領域）と、半円形状の領域２５（係止部となる領域）とを有している。これら各領域間の境界線は、それぞれが折り目として機能し、この１枚の紙面を、各折り目に沿って折り畳むことにより、名刺大の積層体、挟持部、係止部がそれぞれ形成されることになる。
【００８３】
図１１の展開図において、４つの長方形状の領域１１，１２，１３，１４は、いずれもほぼ名刺４０と同じサイズの領域であり、これらの領域１１，１２，１３，１４の集合が、本体部１０ということになる。この本体部１０は、パンフレットとしての記載事項が印刷された表示面を有する紙面であり（印刷内容は図示省略）、これを折り畳むことにより、名刺４０とほぼ同じサイズの積層体を形成することができる。
【００８４】
一方、正方形状をした挟持部２０は、この本体部１０を構成する紙面に対して折り目（図示の例の場合、折り目Ｆ４）を介して連接した紙片であり、その対角線位置に折り目Ｆ５が形成されている。この折り目Ｆ５により、挟持部２０は、直角二等辺三角形の形をした２つの領域２０ｘ，２０ｙに分割されている。したがって、この挟持部２０を折り目Ｆ５に沿って折ると、直角二等辺三角形の形をした２層構造体が得られる。結局、本体部１０を折り畳んで積層体とした場合、この積層体の最上層１１の上には、直角二等辺三角形の形をした挟持部２０が配置された状態となる。この挟持部２０により名刺４０を保持することができる点は、これまで述べた実施形態と全く同様である。
【００８５】
図１２は、図１１に示すパンフレットを畳み込む途中の状態を示す平面図である。図１１に示す展開状態から、図１２に示す折り畳み状態へもってゆくには、次のような手順で、各領域を折り畳んでゆけばよい。
【００８６】
まず、図１１の展開図において、折り目Ｆ１を谷折りして、領域１２を領域１１の上に重ねる。次に、折り目Ｆ２を谷折りして、領域１３を領域１１の上に重ねる。更に、折り目Ｆ３を谷折りして、領域１１，１２，１３を、領域１４の上に重ねることにより、上から順番に、領域１１，１２，１３，１４の４つの層が重なった積層体を形成する。そして、折り目Ｆ４を谷折りして、領域２０（挟持部）および領域２５（係止部）を、この積層体の上に折り返す。更に、折り目Ｆ５に沿って、領域２０ｘを手前に折り返した状態が、図１２に示されている。領域２０ｘの下には、領域２０ｙが重なっており、領域２０ｘ，２０ｙの２層によって、直角二等辺三角形の形をした挟持部が形成されている。最後に、折り目Ｆ６を山折りして、係止部２５を積層体の最下層（領域１４）の下に折り込むか、積層体の中間層に挿入すれば、折り畳み作業は完了する。図１３は、このときの状態を示す平面図である。挟持部２０が係止部２５によって固定されるので、名刺４０を挿入口Ａに差し込めば、名刺４０も定位置に保持される。
【００８７】
この図１１に示すバリエーションの特徴は、次の３点に集約される。第１点は、本体部１０が、互いに隣接して配置された複数の長方形（図示の例では、領域１１，１２，１３，１４）を含む紙面からなり、この長方形の輪郭線に沿った折り目を用いて折り畳むことにより積層体が形成できるように構成されている点である。第２点は、挟持部２０が、上記長方形のうちのいずれかの一辺を連接辺（図示の例では、折り目Ｆ４）とした正方形の形状をした紙片（領域２０）を対角線（折り目Ｆ５）で折り畳むことにより得られる直角二等辺三角形状の紙片（領域２０ｘ，２０ｙ）から構成されている点である。そして、第３点は、係止部２５が、上記正方形の上記連接辺（折り目Ｆ４）に対向する別な一辺（折り目Ｆ６）を連接辺とした紙片（領域２５）から構成されている点である。
【００８８】
＜＜＜  §３．第３の実施形態  ＞＞＞
ここで述べる第３の実施形態の特徴は、挟持部２０を、紙片を折り曲げることにより形成される２層以上の構造体によって構成し、本体部１０に対して折り目を介して連接した紙片から構成される係止部２５を更に設け、この係止部２５を、挟持部２０の中間層に挿入することにより、挟持部２０を本体部１０の積層体の最上層１１の上に維持させるようにする点にある。図１４に、この第３の実施形態に係るパンフレットの展開図を示す。
【００８９】
図示のとおり、このパンフレットは、１枚の紙面によって構成されており、５つの長方形状の領域１１，１２，１３，１４，１５（本体部１０を構成する領域）と、２つの正方形状の領域２０Ｌ，２０Ｒ（挟持部となる領域）と、２つの三角形状の領域２５Ｌ，２５Ｒ（挟持部となる領域）とを有している。ここで、挟持部として機能する正方形状の領域２０Ｌ，２０Ｒには、それぞれ対角線位置に折り目Ｆ５，Ｆ６が形成されており、これらの折り目により、挟持部２０Ｌは、直角二等辺三角形の形をした２つの領域２０Ｌｘ，２０Ｌｙに分割され、挟持部２０Ｒは、直角二等辺三角形の形をした２つの領域２０Ｒｘ，２０Ｒｙに分割されている。したがって、挟持部２０Ｌ，２０Ｒを折り目Ｆ５，Ｆ６に沿って折ると、直角二等辺三角形の形をした２層構造体が得られる。
【００９０】
図１４の展開図において、５つの長方形状の領域１１，１２，１３，１４，１５は、いずれもほぼ名刺４０と同じサイズの領域であり、これらの領域１１，１２，１３，１４，１５の集合が、本体部１０ということになる。この本体部１０は、パンフレットとしての記載事項が印刷された表示面を有する紙面であり（印刷内容は図示省略）、これを折り畳むことにより、名刺４０とほぼ同じサイズの積層体を形成することができる。
【００９１】
一方、挟持部２０Ｌ，２０Ｒは、この本体部１０を構成する紙面に対して折り目（図示の例の場合、折り目Ｆ７，Ｆ８）を介して連接した紙片であり、本体部１０を折り畳んで積層体とした場合に、この積層体の最上層１１の上に位置した状態となる。具体的には、この積層体の最上層１１の上には、直角二等辺三角形の形をした２層構造体からなる挟持部２０Ｌ，２０Ｒが配置された状態となる。この挟持部２０により名刺４０を保持することができる点は、これまで述べた実施形態と全く同様である。この第３の実施形態の特徴は、これら挟持部２０Ｌ，２０Ｒが、係止部２５Ｌ，２５Ｒによって固定される点にある。以下、この仕組みを説明する。
【００９２】
図１５は、図１４に示すパンフレットを畳み込む途中の状態を示す平面図である。図１４に示す展開状態から、図１５に示す折り畳み状態へもってゆくには、次のような手順で、各領域を折り畳んでゆけばよい。
【００９３】
まず、図１４の展開図において、折り目Ｆ１を谷折りして、領域１４を領域１３の上に重ねる。次に、折り目Ｆ２を山折りして、領域１４，１３を、領域１２の裏側に重ねる。更に、折り目Ｆ３を谷折りして、領域１４，１３，１２を、領域１１の上に重ねる。最後に、折り目Ｆ４を谷折りして、領域１４，１３，１２，１１を、領域１５の上に重ねる。その結果、上から順に、領域１１（最上層），領域１２（第２層），領域１３（第３層），領域１４（第４層），領域１５（最下層）という構成をもった全５層の積層体が形成される。図１５は、この状態を示す平面図である。
【００９４】
次に、折り目Ｆ５を谷折りして、挟持部２０Ｌを構成する一方の領域２０Ｌｙを他方の領域２０Ｌｘの上に重ね、挟持部２０Ｌが直角二等辺三角形の形をした２層構造体となるようにする。同様に、折り目Ｆ６を谷折りして、挟持部２０Ｒを構成する一方の領域２０Ｒｙを他方の領域２０Ｒｘの上に重ね、挟持部２０Ｒが直角二等辺三角形の形をした２層構造体となるようにする。図１６は、この状態を示す平面図である。
【００９５】
最後に、折り目Ｆ９（図１４参照）を谷折りして、係止部２５Ｌを挟持部２０Ｌを構成する２層構造体の中間層（領域２０Ｌｘと２０Ｌｙとの間）に挿入し、同様に、折り目Ｆ１０（図１４参照）を谷折りして、係止部２５Ｒを挟持部２０Ｒを構成する２層構造体の中間層（領域２０Ｒｘと２０Ｒｙとの間）に挿入すれば、このパンフレットの折り畳み作業は完了である。図１７は、この状態を示す平面図である。
【００９６】
この実施形態の特徴は、係止部２５Ｌ，２５Ｒを、２層構造体をなす挟持部２０Ｌ，２０Ｒの中間層に挿入することにより、挟持部２０Ｌ，２０Ｒを固定する点にある。挟持部２０Ｌ，２０Ｒが図示の位置に固定されるので、挿入口Ａ，Ｂに名刺４０を差し込めば、名刺４０も定位置に保持される。
【００９７】
図１８は、この第３の実施形態のバリエーションに係るパンフレットの展開図である。図１４に示すパンフレットとは、形状がかなり異なっているが、２層構造体をなす挟持部２０の中間層に係止部２５を挿入することにより、挟持部２０を固定する、という基本概念は共通である。
【００９８】
すなわち、図１８に示すパンフレットは、１枚の紙面によって構成されており、４つの長方形状の領域１１，１２，１３，１４（本体部１０を構成する領域）と、２つの長方形状の領域２０ｘ，２０ｙ（挟持部となる領域）と、２つの長方形状の領域２５Ｌ，２５Ｒ（係止部となる領域）と、摘み部２８とを有している。挟持部２０は、折り目Ｆ５に沿って２つの領域２０ｘ，２０ｙを折り畳むことにより得られる２層構造体によって構成される。
【００９９】
図１８の展開図において、４つの長方形状の領域１１，１２，１３，１４は、いずれもほぼ名刺４０と同じサイズの領域であり、これらの領域１１，１２，１３，１４の集合が、本体部１０ということになる。この本体部１０は、パンフレットとしての記載事項が印刷された表示面を有する紙面であり（印刷内容は図示省略）、これを折り畳むことにより、名刺４０とほぼ同じサイズの積層体を形成することができる。
【０１００】
一方、挟持部２０は、この本体部１０を構成する紙面に対して折り目（図示の例の場合、折り目Ｆ４）を介して連接した紙片であり、本体部１０を折り畳んで積層体とした場合に、この積層体の最上層１１の上に配置された状態となる。後述するように、この積層体の最上層１１の上には、帯状の２層構造体からなる挟持部２０が配置された状態となる。この挟持部２０により名刺４０を保持することができる点は、これまで述べた実施形態と全く同様である。このバリエーションの特徴も、この挟持部２０が、係止部２５Ｌ，２５Ｒによって固定される点にある。以下、この仕組みを説明する。
【０１０１】
図１９は、図１８に示すパンフレットを畳み込む途中の状態を示す平面図である。図１８に示す展開状態から、図１９に示す折り畳み状態へもってゆくには、次のような手順で、各領域を折り畳んでゆけばよい。
【０１０２】
まず、図１９の展開図において、折り目Ｆ１を谷折りして、領域１４を領域１３の上に重ねる。次に、折り目Ｆ２を山折りして、領域１４，１３を、領域１２の裏側に重ねる。更に、折り目Ｆ３を谷折りして、領域１４，１３，１２を、領域１１の上に重ねる。最後に、折り目Ｆ４を山折りして、領域１４，１３，１２，１１を、領域２０の裏側へと重ねる。その結果、上から順に、領域１１（最上層），領域１２（第２層），領域１３（第３層），領域１４（最下層）という構成をもった全４層の積層体が形成される。図１９は、この状態を示す平面図である。
【０１０３】
次に、折り目Ｆ５を山折りして、領域２０ｘ，２０ｙを２つ折りにして、２層構造をもった挟持部２０を形成するとともに、折り目Ｆ６を谷折りすると、図２０に示す状態になる。最後に、折り目Ｆ７（図１８参照）を谷折りして、係止部２５Ｌを挟持部２０を構成する２層構造体の中間層（領域２０ｘと２０ｙとの間）に左側から挿入し、同様に、折り目Ｆ８（図１８参照）を谷折りして、係止部２５Ｒを挟持部２０を構成する２層構造体の中間層（領域２０ｘと２０ｙとの間）に右側から挿入すれば、このパンフレットの折り畳み作業は完了である。図２１は、この状態を示す平面図である。
【０１０４】
図２１に示すように、最上層１１の上面には、２層構造体からなる帯状の挟持部２０が配置されている。しかも、この帯状の挟持部２０の左右両側には、係止部２５Ｌ，２５Ｒが挿入されているので、挟持部２０は、この状態で固定されている。したがって、挿入口Ａに名刺４０を差し込めば、名刺４０も定位置に保持される。
【０１０５】
なお、摘み部２８は、図１８の展開図を見れば明らかなように、挟持部２０に対して折り目Ｆ６を介して連接した紙片であり、挟持部２０を広げるための摘みとして機能する。すなわち、図２１に示す状態において、摘み部２８を上方へと引き上げる操作を行えば、２層構造をなす挟持部２０が展開した状態になるので、このパンフレット全体を広げる操作が容易になる。摘み部２８は、本考案の実施に必須のものではないが、実用上は、用意しておくと便利である。
【０１０６】
＜＜＜  §４．第４の実施形態  ＞＞＞
最後に述べる第４の実施形態は、名刺４０を固定する手段として、挟持部２０を用いる代わりに、スリットを用いるようにしたものである。すなわち、この第４の実施形態に係るパンフレットは、パンフレットとしての記載事項が印刷された表示面を有する紙面から構成され、折り畳むことにより名刺とほぼ同じサイズの積層体を形成することが可能な本体部１０を備えている点に関しては、これまでの実施形態と同じである。しかし、この積層体の最上層にはスリットが形成されており、このスリットに名刺４０の一部を差し込み、名刺４０を積層体に揃えたときに、スリットによって名刺４０が保持され、かつ、名刺４０の一部が上方から視認できるように構成した点に特徴がある。図２２に、この第４の実施形態に係るパンフレットの展開図を示す。
【０１０７】
図示のとおり、このパンフレットは、１枚の紙面によって構成されており、４つの長方形状の領域１１，１２，１３，１４（本体部１０を構成する領域）と、フラップ部３０とを有している。４つの長方形状の領域１１，１２，１３，１４は、いずれもほぼ名刺４０と同じサイズの領域であり、これらの領域１１，１２，１３，１４の集合が、本体部１０ということになる。この本体部１０は、パンフレットとしての記載事項が印刷された表示面を有する紙面であり（印刷内容は図示省略）、これを折り畳むことにより、名刺４０とほぼ同じサイズの積層体を形成することができる。
【０１０８】
一方、最上層１１には、図示のとおり、２箇所にスリットＳＬ，ＳＲが形成されている。このスリットＳＬ，ＳＲは、紙面にナイフなどで切れ込みを入れたものであり、名刺４０の一部を差し込むことにより、これを保持する機能を果たす。図２３は、図２２に示すパンフレットを畳み込んだ状態を示す平面図である。図２２に示す展開状態から、図２３に示す折り畳み状態へもってゆくには、次のような手順で、各領域を折り畳んでゆけばよい。
【０１０９】
まず、図２２の展開図において、折り目Ｆ１を山折りして、領域１２を領域１１の裏側に重ねる。同様に、折り目Ｆ２を山折りして、領域１３を領域１１，１２の更に裏側に重ねる。次に、折り目Ｆ３を山折りして、領域１４を領域１１，１２，１３の更に裏側に重ねれば、上から順に、領域１１（最上層），領域１２（第２層），領域１３（第３層），領域１４（最下層）という構成をもった全４層の積層体が形成される。最後に、折り目Ｆ４を山折りして、フラップ部３０を最上層１１の上へと折り返せば、このパンフレットの折り畳み作業は完了である。図２３は、この状態を示す平面図である。
【０１１０】
この実施形態の特徴は、最上層１１に形成されたスリットＳＬ，ＳＲに、名刺４０を差し込むことにより、名刺４０を固定できる点にある。図２４は、このようにして、最上層１１の上面に名刺４０を配置して固定した状態を示す平面図である。名刺４０の左下隅はスリットＳＬに、右下隅はスリットＳＲに、それぞれ差し込まれ、最上層１１と第２層１２との間に挟まれた状態となっている。なお、スリットの代わりに、ある程度の幅をもった開口窓を形成し、この開口窓に名刺の一部を差し込んで固定するようにしてもよい。
【０１１１】
なお、フラップ部３０は、図５の実施形態と同様に、このパンフレット全体を名刺大に折り畳んだときに、全体が容易に広がらないように維持する機能を果たし、このフラップ部３０により、積層体を平坦な状態に維持させる効果が得られる。
【０１１２】
＜＜＜  §５．その他の変形例  ＞＞＞
以上、本考案を、その基本原理について説明するとともに、第１の実施形態〜第４の実施形態に分けて説明したが、本考案は、これらの実施形態に限定されるものではない。特に、本体部１０を構成する各領域の形状は自由であり、また、折り畳み方も自由である。上記説明や図示の山折り／谷折りの指示は、単に、折り畳み方の一例を示したものであり、上記説明とは異なる折り畳み方をしてもかまわない。
【０１１３】
また、これまで具体的な展開図をいくつか例示してきたが、本体部１０は、パンフレットとしての記載事項が印刷された表示面を有する紙面から構成され、折り畳むことにより名刺４０とほぼ同じサイズの積層体を形成することが可能であればよいので、その展開図は、これまで図示したものに限定されるものではない。また、展開した状態において、本体部と挟持部との配置も自由であり、たとえば、本体部を分断するような位置に挟持部を配置することも可能である。
【０１１４】
それから、これまでの実施形態では、一般的な名刺が長方形であることを配慮して、本体部１０を構成する各領域１１〜１５を、いずれも長方形の領域としているが、長方形の名刺を前提とした場合であっても、各領域１１〜１５は、必ずしも長方形の外形をもった形状にする必要はない。たとえば、図５に示す領域１５の左上隅や右上隅を斜めにカットしたとしても、折り畳んだ状態のパンフレットは、やはり名刺大の長方形になる。同様に、図５に示す領域１３の右辺や領域１４の左辺にＵ字状のくびれを形成したとしても、折り畳んだ状態のパンフレットは、やはり名刺大の長方形になる。このように、本体部１０を構成する各領域の形状は、名刺大の長方形を外枠とする任意の形状に設計しても、上述の実施形態と同様の効果が得られる。
【０１１５】
結局、長方形状の名刺に対応したパンフレットを作成するには、平面上に名刺大の長方形を複数隣接配置してなる図形を定義し、各長方形をそれぞれ外枠とする任意形状の紙面により本体部となる積層体の各層を形成し、各長方形の輪郭線に沿った折り目を用いて折り畳むことにより積層体が形成できるようにすればよい。
【０１１６】
また、これまで示した実施形態では、本体部１０を構成する各領域は、開口部のない長方形状の連続面によって構成されているが、必要に応じて、個々の領域内の任意の位置に任意形状の開口窓を形成してもかまわない。たとえば、図５に示す例において、領域１１〜１５のいずれかに、ハート型の切り抜き構造をもった開口窓を形成すれば、この開口窓は、装飾的な機能を果たすことができる。このように、本考案を実施するにあたって、本体部１０の所定箇所に、任意形状を有する装飾用の開口窓を形成すれば、意匠上の効果が得られることになる。
【０１１７】
更に、図５および図２２には、フラップ部３０を用いた例を示したが、このフラップ部３０は、本体部に対して折り目を介して連接した紙片から構成されるものであれば、どのような形態であってもかまわない。このフラップ部３０の役割は、既に述べたとおり、本体部１０の積層体の最下層の下に折り込むか、もしくは、本体部１０の積層体の中間層に挿入することにより、本体部１０が積層体の状態を維持することができるようにするためのものである。したがって、図５および図２２以外の実施例においても、必要に応じて、フラップ部３０を設けることが可能である。
【０１１８】
このように、フラップ部３０は、本体部１０が積層体の状態を維持するように補助する機能を果たすことになるが、この機能を更に効果的にするには、「フラップ部３０」もしくは「このフラップ部３０を本体部１０に対して折り曲げたときに接することになる本体部１０側の当接領域」に、これら両者を粘着状態にするための粘着層を形成しておくとよい。たとえば、図５に示す例の場合、この展開図におけるフラップ部３０の上面部分に、弱粘着性のテープや糊などを付着させておけば、このパンフレットを折り畳んだときに、フラップ部３０を本体部１０側に貼り付けることができる。弱粘着性のテープや糊であれば、フラップ部３０を容易に剥がすことができるので、パンフレットを広げる上で支障は生じない。
【０１１９】
もちろん、フラップ部３０側ではなく、このフラップ部３０が接することになる本体部１０側の当接領域に弱粘着性のテープや糊などを付着させておいてもよい。あるいは、別体として用意した弱粘着性の粘着シールにより、フラップ部３０を本体部１０に固定することも可能である。
【０１２０】
フラップ部３０を本体部１０に固定する別な方法として、「フラップ部３０」もしくは「このフラップ部３０を本体部１０に対して折り曲げたときに接することになる本体部１０側の当接領域」に、これら両者を係合状態にするための切れ目を形成することも可能である。たとえば、図５に示す例の場合、フラップ部３０の縁の部分に切れ目を入れておき、領域１１の対応部分にも切れ目を入れておき、フラップ部３０を折り込んだときに、両切れ目を係合させることにより、フラップ部３０が開かないようにすればよい。
【０１２１】
また、切れ目の形態によっては、フラップ部３０か本体部１０のいずれか一方にだけ切れ目を入れて、他方の縁に引っかけるような構造にすることも可能である。たとえば、図６に示す領域１１の中央付近に水平な切れ目（スリット）を入れておき、フラップ部３０の先端を、この切れ目に挿入するようにすれば、本体部１０側にのみ形成された切れ目を用いて、フラップ部３０が開かないようにすることができる。
【０１２２】
一方、挟持体２０に挿入した名刺４０をなるべくしっかりと保持しておきたい場合には、積層体の最上層に、名刺を粘着固定するための粘着層を形成しておくとよい。たとえば、図５に示す例の場合、この展開図における最上層１１の上面部分に、弱粘着性のテープや糊などを付着させておけば、図６のように畳んだ際に、最上層１１上のテープや糊などを利用して、挿入口Ａ，Ｂに挿入した名刺４０を、最上層１１の上面に固定することができる。やはり弱粘着性のテープや糊であれば、名刺４０を容易に剥がすことができるので支障は生じない。
【０１２３】
本考案に係るパンフレットは、これまで説明した実施形態からも明らかなように、各部に折り目が形成されている。これらの折り目の全部もしくは一部をミシン目によって構成しておくと、必要に応じて、このミシン目を利用してパンフレットの一部を切り離せるので便利である。たとえば、パンフレットの一部にクーポン券・サービス券・割引券などが印刷されている場合、その境界線となる折り目をミシン目によって構成しておけば、これらの券を必要に応じて容易に切り離して利用することができる。もちろん、折り目以外の位置にミシン目を形成し、そこから切り離せるようにしてもよい。
【０１２４】
また、これまで述べた実施形態は、いずれも本体部１０を折り畳むことにより形成される積層体が、添付対象となる名刺４０とほぼ同じサイズのものであったが、積層体のサイズは、必ずしも「名刺４０とほぼ同じサイズ」にする必要はなく、「名刺４０とほぼ同じサイズの枠内に収まるサイズ」になっていれば、本考案の効果を得ることができる。
【０１２５】
図１に示す例の場合、本体部１０を折り畳むことにより形成される積層体は、添付対象となる名刺４０とほぼ同じサイズになっているので、挿入口Ａから名刺４０を差し込んで揃えると、図２に示すように、積層体の上に名刺４０がほぼ重なった状態になる。このため、「パンフレット＋名刺」という形態で相手に手渡した場合でも、相手に「名刺を受け取った」という印象を与えることができる効果がある点は、既に述べたとおりである。ただ、この効果は、積層体のサイズが名刺４０のサイズよりも小さくても得ることができる。
【０１２６】
たとえば、図１に示す本体部１０からなる積層体の幅が半分になったとしよう。この場合、名刺４０を挿入口Ａから差し込み、積層体の一辺に名刺４０の一辺を揃えた状態において、名刺４０と積層体の平面的な位置関係を考えると、名刺４０の一部が積層体から食み出した状態になることがわかる。それでも、「パンフレット＋名刺」という形態で相手に手渡せば、相手からは、挟持部２０によって一部分が覆われた状態の名刺４０が目に入ることになり、全体的な大きさはほぼ名刺サイズであるので、相手に「名刺を受け取った」という印象を与えることができる。結局、本考案を実施する上で、積層体のサイズは、「名刺とほぼ同じサイズ」に限定されず、「名刺とほぼ同じサイズの枠内に収まるサイズ」になっていてもよいことになる。
【０１２７】
なお、図３に示す実施形態では、会社案内用の書状により本体部１０を構成した例を示したが、既に述べたとおり、本願に言う「パンフレット」とは、種々の商業的情報を掲載して配布する印刷物を広く指しており、会社案内、店舗案内などは勿論のこと、商品・役務を掲載したカタログやチラシ、飲食物のメニュー、キャンペーンや催事のお知らせ、クーポン券・サービス券・割引券、カレンダーなどの印刷物も含むものである。したがって、本体部１０は、これら広義の「パンフレット」を構成する任意の印刷物によって構成することが可能である。同様に、本願にいう「名刺」は、個人用の名刺に限定されるものではなく、たとえば、個人名が表記されておらず、店舗名のみが表記されたカードの類いも含むものである。
【図面の簡単な説明】
【０１２８】
【図１】本考案の名刺添付機能をもったパンフレットの基本的な実施形態を示す斜視図である。
【図２】図１に示すパンフレットに名刺を挟み込んだ状態を示す斜視図である。
【図３】本考案の第１の実施形態に係るパンフレットの展開図である。
【図４】図３に示すパンフレットを畳んだ状態を示す平面図である。
【図５】本考案の第１の実施形態のバリエーションに係るパンフレットの展開図である。
【図６】図５に示すパンフレットを畳み込む途中の状態を示す平面図である。
【図７】本考案の第２の実施形態に係るパンフレットの展開図である。
【図８】図７に示すパンフレットを畳み込む途中の状態を示す平面図である。
【図９】本考案の第２の実施形態のバリエーションに係るパンフレットの展開図である。
【図１０】図９に示すパンフレットを畳み込む途中の状態を示す平面図である。
【図１１】本考案の第２の実施形態の別なバリエーションに係るパンフレットの展開図である。
【図１２】図１１に示すパンフレットを畳み込む途中の状態を示す平面図である。
【図１３】図１１に示すパンフレットを完全に畳み込んだ状態を示す平面図である。
【図１４】本考案の第３の実施形態に係るパンフレットの展開図である。
【図１５】図１４に示すパンフレットを畳み込む途中の第１の状態を示す平面図である。
【図１６】図１４に示すパンフレットを畳み込む途中の第２の状態を示す平面図である。
【図１７】図１４に示すパンフレットを完全に畳み込んだ状態を示す平面図である。
【図１８】本考案の第３の実施形態のバリエーションに係るパンフレットの展開図である。
【図１９】図１８に示すパンフレットを畳み込む途中の第１の状態を示す平面図である。
【図２０】図１８に示すパンフレットを畳み込む途中の第２の状態を示す平面図である。
【図２１】図１８に示すパンフレットを完全に畳み込んだ状態を示す平面図である。
【図２２】本考案の第４の実施形態に係るパンフレットの展開図である。
【図２３】図２２に示すパンフレットを完全に畳み込んだ状態を示す平面図である。
【図２４】図２３に示すパンフレットに名刺を挟み込んだ状態を示す平面図である。
【符号の説明】
【０１２９】
１０：本体部
１１〜１５：本体部を構成する紙面の各領域（積層体の各層）
２０，２０Ｌ，２０Ｒ：挟持部
２０ｘ，２０ｙ，２０Ｌｘ，２０Ｌｙ，２０Ｒｘ，２０Ｒｙ：挟持部を構成する紙片の各領域（２層構造体の各層）
２５，２５Ｌ，２５Ｒ：係止部
２８：摘み部
３０：フラップ部
４０：名刺
Ａ，Ｂ：挿入口
Ｆ１〜Ｆ１０：折り目（破線は谷折り、一点鎖線は山折り）
ＳＬ，ＳＲ：スリット
Ｘ，Ｙ…二次元直交座標系の各座標軸
【図１】
0003121149.tif 000003
【図２】
0003121149.tif 000004
【図３】
0003121149.tif 000005
【図４】
0003121149.tif 000006
【図５】
0003121149.tif 000007
【図６】
0003121149.tif 000008
【図７】
0003121149.tif 000009
【図８】
0003121149.tif 000010
【図９】
0003121149.tif 000011
【図１０】
0003121149.tif 000012
【図１１】
0003121149.tif 000013
【図１２】
0003121149.tif 000014
【図１３】
0003121149.tif 000015
【図１４】
0003121149.tif 000016
【図１５】
0003121149.tif 000017
【図１６】
0003121149.tif 000018
【図１７】
0003121149.tif 000019
【図１８】
0003121149.tif 000020
【図１９】
0003121149.tif 000021
【図２０】
0003121149.tif 000022
【図２１】
0003121149.tif 000023
【図２２】
0003121149.tif 000024
【図２３】
0003121149.tif 000025
【図２４】
0003121149.tif 000026